(57)【特許請求の範囲】
【請求項１】
本体ケース１の内部に、ディスク２が回転自在に収容されており、
本体ケース１の上下壁３・４には、それぞれの略中央部から前側の開放端面５の方向にわたって信号読み書き用の窓孔６が開口されており、
本体ケース１に、窓孔６を開閉するシャッター７が装着されているディスクカートリッジにおいて、
シャッター７が、本体ケース１の上下壁３・４の各外表面上を左右方向に摺動する上下板７ａ・７ｂと、この上下板７ａ・７ｂの一端どうしをつないで前記開放端面５上を摺動する背板７ｃと、背板７ｃの内面から突設されて開放端面５内を摺動する抜止め片１３とを有し、抜止め片１３の先端に逆止爪１３ａを設けてあり、
窓孔６の開放端面５側の上下壁３・４に、各上下壁３・４の外表面より低く落ち込む陥没壁部１５・１５が一体に形成されており、
陥没壁部１５・１５の後方部位の内面側に接合凸部１５ｂ・１５ｂを設け、この接合凸部１５ｂ・１５ｂどうしを超音波溶着で一体に接合するとともに、接合凸部１５ｂ・１５ｂより前側の陥没壁部１５・１５の対向面間に、前記シャッター７の抜止め片１３を案内する空隙Ｓ１が形成されており、
陥没壁部１５・１５の接合凸部１５ｂ・１５ｂより前方部位１５ａ・１５ａには、前記逆止爪１３ａが前方抜け止め状にかつ摺動自在に係合する案内溝１６・１６が左右方向にわたって設けられており、
上下壁３・４の内面の陥没壁部１５・１５の左右両側に、前記逆止爪１３ａが案内溝１６・１６より左右方向に引き続き係合摺動できる案内レール１７・１７が設けられ、この案内レール１７・１７の対向面間に前記空隙Ｓ１と連通する空隙Ｓ２が設けられているディスクカートリッジ。  
【発明の詳細な説明】
【０００１】
【発明の属する技術分野】
本発明は、光ディスクや光磁気ディスク等の記録媒体であるディスクがハードケース内に回転自在に収容されているディスクカートリッジに関する。
【０００２】
【従来の技術】
この種のディスクカートリッジに特公平４−５９７０３号公報がある。そこでは、ディスクが収容される本体ケースの上下面に、外部からディスクに対して信号の読み書きが行えるように窓孔を設け、この窓孔が摺動式のシャッターにより開閉される。不使用時にシャッターが窓孔を閉じて塵埃や異物がディスクに付着するのを防止し、使用時にディスクドライブに装填するとシャッターがドライブ側の開閉操作部材で開かれ、ヘッドが窓孔に挿入する。
【０００３】
【発明が解決しようとする課題】
上記したディスクカートリッジでは、本体ケースに対してシャッターを抜け止め状態に摺動案内するために、本体ケースの外表面に案内溝を設け、この案内溝にシャッターに設けた抜止め爪が摺動自在に係合している。しかし、これではシャッターの閉じ状態時にも案内溝の一部が外部に露出状態にあるため、この案内溝が他物と接触して欠損したり、塵埃が溜まり易くて、シャッターの安定かつ円滑な摺動を損なう原因となり、また外観的にも見苦しいという難点があった。
【０００４】
そこで本発明の目的は、本体ケースに対しシャッターを安定かつ円滑に開閉摺動でき、しかも外観上体裁よく取り付けられるディスクカートリッジを提供することにある。本発明の目的は、ディスクドライブ側のヘッド挿入のためのシステムのコンパクト化を図れるディスクカートリッジを提供することにある。
【０００５】
【課題を解決するための手段】
本発明のディスクカートリッジは、本体ケース１の内部にディスク２が回転自在に収容され、本体ケース１の上下壁３・４にはそれぞれの略中央部から前側の開放端面５の方向にわたって信号読み書き用の窓孔６が開口されており、本体ケース１に前記窓孔６を開閉するシャッター７が装着されている。
【０００６】
かかるディスクカートリッジにおいて、本発明では、前記シャッター７が、本体ケース１の上下壁３・４の各外表面上を左右方向に摺動する上下板７ａ・７ｂと、この上下板７ａ・７ｂの一端どうしをつないで前記開放端面５上を摺動する背板７ｃと、背板７ｃの内面から突設されて開放端面５内を摺動する抜止め片１３とを有し、抜止め片１３の先端に逆止爪１３ａを設けてある。前記窓孔６の開放端面５側の上下壁３・４には、各上下壁３・４の外表面より低く落ち込む陥没壁部１５・１５が一体に形成される。この陥没壁部１５・１５の後方部位の内面側に接合凸部１５ｂ・１５ｂを設け、この接合凸部１５ｂ・１５ｂどうしを超音波溶着で一体に接合するとともに、接合凸部１５ｂ・１５ｂより前側の陥没壁部１５・１５の対向面間に、前記シャッター７の抜止め片１３を案内する空隙Ｓ１が形成される。陥没壁部１５・１５の接合凸部１５ｂ・１５ｂより前方部位１５ａ・１５ａには、前記逆止爪１３ａが前方抜け止め状にかつ摺動自在に係合する案内溝１６・１６が左右方向にわたって設けられる。上下壁３・４の内面の陥没壁部１５・１５の左右両側に、前記逆止爪１３ａが案内溝１６・１６より左右方向に引き続き係合摺動できる案内レール１７・１７が設けられ、この案内レール１７・１７の対向面間に前記空隙Ｓ１と連通する空隙Ｓ２が設けられている。
【０００７】
【作用】
シャッター７の逆止爪１３ａが摺動自在に係合する案内溝１６・１６は、シャッター７の閉じ位置で該シャッター７で覆われる陥没壁部１５・１５に設けられていて外部に露出することがなく、また本体ケース１の開放端面５の内部に案内レール１７を設け、この案内レール１７にシャッター７の逆止爪１３ａが抜け止め状に摺動係合しているので、本体ケース１に対するシャッター７の抜け止め規制と摺動案内とが本体ケース１内で行われ、かかる摺動案内部への塵埃堆積、他物の触れなどから防護できる。
【０００８】
窓孔６の開放端面５側の上下壁３・４に一体形成した陥没壁部１５・１５は、各上下壁３・４の外表面より低く落ち込んでいるので、陥没壁部１５上にディスクドライブ側の信号読み書き用ヘッドが挿入するためのクリアランスを確保し得てディスクドライブ側のコンパクト化を実現できる。
【０００９】
陥没壁部１５・１５は上下壁３・４の外表面より低く落ち込ませることで肉厚が薄くなり、高温環境下などで変形しやすいが、この陥没壁部１５・１５どうしは超音波溶着で一体に接合してあるので、かかる変形を防止できてシャッター７の円滑な摺動案内を保証できる。
【００１０】
【発明の実施の形態】
図において、ディスクカートリッジは、薄型四角形状の本体ケース１の内部に、上下両面に映像・音声・情報等の信号が記録される光ディスク等のディスク２を回転自在に収容する。本体ケース１はプラスチック製の上ケース１ａと下ケース１ｂとを突き合わせて一体的に結合してなる。上ケース１ａの上壁３および下ケース１ｂの下壁４には、それぞれの略中央部から前側の開放端面５に向けて信号読み書き用の窓孔６を開口してあり、この窓孔６が左右方向に摺動するシャッター７で開閉自在に塞がれる。ディスクカートリッジこれ全体のコンパクト化を図るために、図示例のように本体ケース１の左右幅寸法とディスク２の直径寸法とが可及的に接近して設定され、窓孔６の左右開口幅およびシャッター７の左右幅寸法が本体ケース１の左右幅寸法のほぼ１／３近くにまで大きく設定され、シャッター７の前後方向寸法は左右幅寸法よりも大きく設定されている。
【００１１】
図３および図５において上ケース１ａは、上壁３とこれの左右端に直角に連設した左右の側壁１２・１２とからなり、上壁３の略中央部から前端の左右方向中央部にわたって前記窓孔６が形成されている。上壁３の内面には、図３に示すごとくディスク２が前方へ遊動するのを規制するための位置規制リブ１４がディスク２の円周に沿う円弧状に一体に突設されている。窓孔６の前方に対応する上壁３には、ディスクドライブ側の信号読み書き用ヘッドが窓孔６に挿入するときのクリアランスを確保するために、図１および図５に示すごとく上壁３の外表面３ａより低く落ち込む陥没壁部１５が一体に形成され、この陥没壁部１５にシャッター７を左右方向に案内するための案内溝１６が左右方向全長にわたって形成されている。陥没壁部１５の案内溝１６より後方部位には平坦な形状の接合凸部１５ｂが形成されている。図４に示すように、上壁３の内面の前端には断面角形の案内レール１７が、前記陥没壁部１５の案内溝１６より前方部位１５ａの左右両側方に一体に連続して形成されている。
【００１２】
下ケース１ｂは上ケース１ａと対称に形成されていて、上ケース１ａの窓孔６に正対する窓孔６と、下壁４の外表面４ａより低く落ち込むよう形成されて上ケース１ａの陥没壁部１５の下面側に重合する陥没壁部１５と、上ケース１ａの案内レール１７に正対する案内レール１７と、上ケース１ａ側の位置規制リブ１４の下端に突き合わされる位置規制リブ１４とを有する。これら上下ケース１ａ・１ｂを突き合わせると、図１および図４に示すように両ケース１ａ・１ｂの陥没壁部１５・１５の接合凸部１５ｂ・１５ｂどうしが重合することにより、陥没壁部１５・１５の案内溝１６より前方部位１５ａ・１５ａ間に空隙Ｓ１が、案内レール１７・１７間に空隙Ｓ２が互いに連通状に形成される。
【００１３】
図６に示すごとく陥没壁部１５・１５の接合凸部１５ｂ・１５ｂのうちの一方側にダイレクト溶着リブ１５ｃを設けて、ダイレクト溶着リブ１５ｃを超音波で加熱溶融することで接合凸部１５ｂ・１５ｂどうしを一体に接合固定する。このように超音波溶着で陥没壁部１５・１５の接合凸部１５ｂ・１５ｂどうしを一体に接合固定しておくと、陥没壁部１５・１５の案内溝１６より前方部位１５ａ・１５ａが薄肉になっていても高温環境下などで外方へ膨らむような反り変形を防止できる。その接合手段としては、超音波溶着以外に、例えばタッピンネジなどの締め付けで一体的に結合することも考えられる。しかし、これではネジ締め付け手間を要し、またネジの頭がヘッドに損傷を加えるおそれがあるが、超音波接合によればそうしたネジ締め付けのような面倒さがなく、短時間に能率よく接合でき、ヘッドに損傷を加えるようなおそれもない。
【００１４】
図１および図５においてシャッター７は金属板またはプラスチック材で断面コ字形状に形成してあり、上下壁３・４の各窓孔６を塞ぐように前後方向に長く左右方向に短い矩形状の上下板７ａ・７ｂと、これら上下板７ａ・７ｂの前端どうしをつなぐ背板７ｃとを有する。背板７ｃの内面から左右一対の抜止め片１３を突設し、この左右の抜止め片１３の先端に互いに上下逆向きの逆止爪１３ａ・１３ａを設ける。シャッター７は、上下板７ａ・７ｂを上下壁３・４の各外面上に重合するとともに、抜止め片１３の逆止爪１３ａが陥没壁部１５・１５間の空隙Ｓ１内に差し込まれるように、本体ケース１の前側の開放端面５にこれの前側方から押し込み嵌合することにより、抜止め片１３の逆止爪１３ａが陥没壁部１５の案内溝１６に係合し（図１参照）、以てシャッター７が本体ケースから前方へ抜け出ない状態となる。
【００１５】
図３および図５に示すように、シャッター７を閉じ位置に移動付勢するばね部材２０としては、左右２個のねじりコイルばねを採用し、また左右２個のスライダー２１を備えている。スライダー２１は工形に形成されていて、上下の案内レール１７・１７間の空隙Ｓ２内を摺動するウェブ２１ａと、上下の案内レール１７・１７の内外面を摺動する内外フランジ２１ｂ・２１ｃとを有し、内フランジ２１ｂの外端面にばね掛け溝２４を設けてある。
【００１６】
左右の各ばね部材２０は、これの一方の腕部２０ａの先端を下壁４の内面における位置規制リブ１４より前方部位に突設した左右のピン２５にそれぞれ掛け止め、他方の腕部２０ｂの先端をスライダー２１のばね掛け溝２４に挿入係合する。これで左右の各スライダー２１は、ばね部材２０のばね作用で案内レール１７上を中央の陥没壁部１５の方向へ移動付勢されて、外フランジ２１ｃの内端面がシャッター７の背板７ｃの左右端面に当接するか、またはウェブ２１ａないしは内フランジ２１ｂの内端面が抜止め片１３の外端面に当接することにより、シャッター７は窓孔６を塞ぐ中央の閉じ位置に保持される。
【００１７】
このようにシャッター７を取り付けたディスクカートリッジをディスクドライブに装填すると、該ドライブ側の開閉操作部材（図示せず）がシャッター７に係合し、この係合作用によりシャッター７が窓孔６を塞ぐ中央の閉じ位置から左側壁１２または右側壁１２に近接する位置にまで案内レール１７に沿ってばね部材２０の力に抗して上下壁３・４の各外表面上を摺動し、以て窓孔６が全開する。シャッター７に加えた押す力を解除すると、シャッター７がばね部材２０の付勢力をスライダー２１を介して受けることで元の中央の閉じ位置に自動的に復帰移動して停止する。
【００１８】
シャッター７は抜止め片１３を有し、この抜止め片１３で案内溝１６および案内レール１７に抜け止め状に支持してあるので、シャッター７は案内溝１６および案内レール１７上をがたつくことなく安定よく摺動する。案内溝１６は、シャッター７の閉じ位置で該シャッター７により覆われる陥没壁部１５に、案内レール１７は本体ケース１の開放端面５の内部にそれぞれ設けられていて、外部に露出することがない。従って、案内溝１６や案内レール１７が他物と接触して欠損を加えられたり、塵埃が溜まるのを防止できてシャッター７の円滑な案内摺動を確保する。
【００１９】
【発明の効果】
本発明によれば、本体ケース１の開放端面５の内部に案内レール１７を設け、この案内レール１７にシャッター７の抜止め片１３を抜け止め状に摺動係合させてある。従って、本体ケース１に対するシャッター７の抜け止め規制と摺動案内とが本体ケース１内で行われ、かかる摺動案内部への塵埃堆積、他物の触れなどから防護できる。シャッター７の背板７ｃに抜止め片１３を設け、この抜止め片１３で案内レール１７に抜け止め状に支持してあるので、シャッター７は案内レール１７に沿って左右方向にがたつきなく円滑に安定よく摺動する。
【００２０】
窓孔６の開放端面５側の上下壁３・４に陥没壁部１５を設けてあるので、当該陥没壁部１５の上にディスクドライブ側の信号読み書き用ヘッドが挿入するためのクリアランスを確保することができてディスクドライブ側のコンパクト化を図れる。
【００２１】
陥没壁部１５・１５どうしは超音波溶着で一体に接合していて高温環境下などで変形するのを防止できるので、この点でもシャッター７は陥没壁部１５・１５の案内溝１６に沿って常に円滑に摺動案内することでき、また超音波溶着によればネジ止めなどに比して精度上また組立上有利である。
【図面の簡単な説明】
【図１】ディスクカートリッジの要部の縦断面図である。
【図２】ディスクカートリッジ全体の平面図である。
【図３】ディスクカートリッジの前端一部の内部平面図である。
【図４】シャッターと案内レールとの関係を示す縦断面図である。
【図５】ディスクカートリッジの前端部をシャッターを外した状態で示す斜視図である。
【図６】陥没壁部を超音波溶着する前の状態で示す縦断面図である。
【符号の説明】
１  本体ケース
２  ディスク
３  上壁
４  下壁
５  開放端面
６  窓孔
７  シャッター
７ａ  シャッターの上板
７ｂ  シャッターの下板
７ｃ  シャッターの背板
１３  抜止め片
１３ａ  逆止爪
１５  陥没壁部
１５ｂ  接合凸部
１６  案内溝
１７  案内レール
【図１】
0003622810.tif 000002
【図２】
0003622810.tif 000003
【図３】
0003622810.tif 000004
【図４】
0003622810.tif 000005
【図５】
0003622810.tif 000006
【図６】
0003622810.tif 000007